(57)【要約】【課題】壁パネルの据付作業スペースの確保を容易にすることができ、意匠性を悪化させることなく壁パネルを複数分割することができる。【解決手段】かご室１の内壁面を形成する壁パネル１０の幅方向に沿って、意匠面と反対側の裏面側における壁パネル１０の高さ方向の上端部及び下端部のそれぞれにレール７１が設けられたメインパネル２０、サブパネル３０，４０、及びサブパネル３０，４０をメインパネル２０に対してスライドさせることで、メインパネル２０とサブパネル３０，４０とが壁パネル１０の厚み方向に重なった状態である搬入状態と、幅方向についてメインパネル２０とサブパネル３０，４０とが当接した状態で同一直線状に配置される展開状態との間で変化可能にするように上端部及び下端部にそれぞれ設けられたスライド機構部５０を備えている。【選択図】図２
2016117544.tif 000002
【特許請求の範囲】
【請求項１】
昇降路内でかご室を組み立てるとき、出入開放部から上記昇降路内に搬入された後、床パネルの周縁部に立てて固定され、上記かご室の内壁面を形成するエレベータかご室の壁パネルであって、
上記壁パネルの幅方向に沿って、意匠面と反対側の裏面側における上記壁パネルの高さ方向の上端部及び下端部のそれぞれにレールが設けられたメインパネル、
上記幅方向について上記メインパネルよりも短い長さに設定されているサブパネル、及び
上記サブパネルを上記メインパネルに対してスライドさせることで、上記メインパネルと上記サブパネルとが上記壁パネルの厚み方向に重なった状態である搬入状態と、上記幅方向について上記メインパネルと上記サブパネルとが当接した状態で同一直線状に配置される展開状態との間で変化可能にするように、上記上端部及び上記下端部にそれぞれ設けられたスライド機構部
を備え、
上記スライド機構部のそれぞれは、
上記メインパネルに設けられた上記レールに沿ってスライド移動する第１スライド部と、
上記サブパネルの幅方向の端部において意匠面と反対側の裏面側に固定された第２スライド部と、
上記壁パネルの上記厚み方向について、上記第１スライド部と上記第２スライド部との互いに対向している部分の上記厚み方向の距離を、伸張状態と収縮状態との間で変化可能に繋いでおり、上記搬入状態においては、上記伸張状態を維持することで、上記サブパネルを上記メインパネルに沿って上記スライド移動させることを可能とし、上記展開状態においては、上記収縮状態となることで、上記メインパネルと上記サブパネルとを当接させた状態で同一直線状に配置させることを可能とする繋部と、
を有する
エレベータかご室の壁パネル。
【請求項２】
上記搬入状態において、上記サブパネルが上記メインパネルに沿って上記スライド移動することで上記展開状態になることを阻止するように、上記メインパネルと上記サブパネルとを固定する固定板
をさらに備える
請求項１に記載のエレベータかご室の壁パネル。
【請求項３】
上記サブパネルは、２枚設けられており、
上記サブパネルのそれぞれは、上記幅方向について互いに対向して設けられており、
上記スライド機構部の上記第２スライド部は、２枚の上記サブパネルが互いに対向する位置にそれぞれ設けられている
請求項１または請求項２に記載のエレベータかご室の壁パネル。
【請求項４】
請求項１から請求項３のいずれか１項に記載されたエレベータかご室の壁パネルの組立方法であって、
上記第１スライド部を上記レールに沿って挿入した後、上記レールを上記メインパネルの上記上端部及び上記下端部のそれぞれに取り付ける工程と、
上記第２スライド部を上記サブパネルの上記意匠面と反対側の上記裏面側に取り付ける工程と、
上記メインパネルと上記サブパネルとが上記壁パネルの厚み方向に重なった状態で、かつ、上記厚み方向について上記第１スライド部と上記第２スライド部とを対向させた状態で、上記第１スライド部と上記第２スライド部との互いに対向している部分を上記繋部により接続する工程と
を有する
エレベータかご室の壁パネル組立方法。
【発明の詳細な説明】
【技術分野】
【０００１】
この発明は、昇降路内に搬入された後に、エレベータのかご室を形成するために、床面上に立てて組み立てられるエレベータかご室の壁パネル、及びエレベータかご室の壁パネル組立方法に関するものである。
【背景技術】
【０００２】
出入開口部から昇降路スペース内への壁パネルの搬入を容易にするために、左右に分割された片半パネルを、縦回動軸を介して連結した壁パネルの構造が従来から知られている（例えば、特許文献１参照）。特許文献１に開示された壁パネルは、折り畳まれた状態で出入開口部から昇降路スペースに搬入された後、縦回動軸を中心に左右に伸展され、床パネルに立てて固定される。伸展された片半パネル同士は、一部が乗場側に露出したモール部材により伸展された状態を保持している。
【先行技術文献】
【特許文献】
【０００３】
【特許文献１】特開２００６−２７３４３１号公報
【発明の概要】
【発明が解決しようとする課題】
【０００４】
しかしながら、従来技術には、以下のような課題がある。
特許文献１に開示されている壁パネルの構造では、出入開口部から搬入され、折り畳まれた状態の壁パネルを、取り付けたい面に対して垂直に配置する必要がある。これにより、間口が小さなかご室では、壁パネルの据付作業スペースの確保が困難になってしまうという問題があった。
【０００５】
これを解決するために、縦回動軸を複数設けて、壁パネルを複数分割にすることが考えられる。しかしながら、特許文献１に開示された壁パネルの構造では、伸展された状態を保持するモール部材の一部が乗場側に露出している。従って、このような複数分割の構造を採用した場合には、モール部材の一部が乗場側に露出してしまう量が多くなってしまう。この結果、分割数が多くなるほど、意匠性が悪化するという問題があった。
【０００６】
この発明は、上記のような課題を解決するためになされたものであり、壁パネルの据付作業スペースの確保を容易にすることができ、意匠性を悪化させることなく壁パネルを複数分割することができるエレベータかご室の壁パネル構造、及びエレベータかご室の壁パネル組立方法を得ることを目的とする。
【課題を解決するための手段】
【０００７】
この発明によるエレベータかご室の壁パネルは、昇降路内でかご室を組み立てるとき、出入開放部から昇降路内に搬入された後、床パネルの周縁部に立てて固定され、かご室の内壁面を形成するエレベータかご室の壁パネルであって、壁パネルの幅方向に沿って、意匠面と反対側の裏面側における壁パネルの高さ方向の上端部及び下端部のそれぞれにレールが設けられたメインパネル、幅方向についてメインパネルよりも短い長さに設定されているサブパネル、及びサブパネルをメインパネルに対してスライドさせることで、メインパネルとサブパネルとが壁パネルの厚み方向に重なった状態である搬入状態と、幅方向についてメインパネルとサブパネルとが当接した状態で同一直線状に配置される展開状態との間で変化可能にするように、上端部及び下端部にそれぞれ設けられたスライド機構部を備え、スライド機構部のそれぞれは、メインパネルに設けられたレールに沿ってスライド移動する第１スライド部と、サブパネルの幅方向の端部において意匠面と反対側の裏面側に固定された第２スライド部と、壁パネルの厚み方向について、第１スライド部と第２スライド部との互いに対向している部分の厚み方向の距離を、伸張状態と収縮状態との間で変化可能に繋いでおり、搬入状態においては、伸張状態を維持することで、サブパネルをメインパネルに沿ってスライド移動させることを可能とし、展開状態においては、収縮状態となることで、メインパネルとサブパネルとを当接させた状態で同一直線状に配置させることを可能とする繋部と、を有する。
【０００８】
また、この発明によるエレベータかご室の壁パネル組立方法は、エレベータかご室の壁パネルの組立方法であって、第１スライド部をレールに沿って挿入した後、レールをメインパネルの上端部及び下端部のそれぞれに取り付ける工程と、第２スライド部をサブパネルの意匠面と反対側の裏面側に取り付ける工程と、メインパネルとサブパネルとが壁パネルの厚み方向に重なった状態で、かつ、厚み方向について第１スライド部と第２スライド部とを対向させた状態で、第１スライド部と第２スライド部との互いに対向している部分を繋部により接続する工程とを有する。
【発明の効果】
【０００９】
この発明によれば、メインパネルの意匠面と反対側の面に設けられたレールに沿って、メインパネルに対してサブパネルをスライド移動可能にするとともに、メインパネルとサブパネルを同一直線状に展開した際に、意匠面と反対側から両パネルを固定できる機構を備えている。この結果、壁パネルの据付作業スペースの確保を容易にすることができ、意匠性を悪化させることなく壁パネルを複数分割することができるという効果を得ることができる。
【図面の簡単な説明】
【００１０】
【図１】本発明の実施の形態１における組立後のエレベータのかご室を示す上面図である。
【図２】本発明の実施の形態１における搬入状態の壁パネルを示す斜視図である。
【図３】図２に示した搬入状態の壁パネルを示す上面図である。
【図４】図２の壁パネルを展開状態に変化させた状態を示す上面図である。
【図５】図３の丸Ｖで囲まれたスライド機構部を示す拡大図である。
【図６】図３のスライド機構部をＶＩ−ＶＩ線に沿って見た状態を示す拡大図である。
【図７】図４の丸ＶＩＩで囲まれたスライド機構部を示す拡大図である。
【図８】上側スライド部及び下側スライド部を示す斜視図である。
【図９】第２スライド部を示す斜視図である。
【図１０】繋部を示す斜視図である。
【図１１】図１０の繋部の収納筒部及び伸縮部の組立前の状態を示す斜視図である。
【図１２】スライド機構部を壁パネルに組み付ける状態を示す図である。
【図１３】かご室の組立方法を示す図である。
【図１４】中央パネルを基準に第１スライドパネル及び第２スライドパネルをスライドさせた状態を示す上面図である。
【図１５】本発明の実施の形態２における搬入状態の壁パネルを示す斜視図である。
【発明を実施するための形態】
【００１１】
以下、本発明のエレベータのかご室の壁パネル構造の好適な実施の形態につき図面を用いて説明する。
【００１２】
実施の形態１．
図１は、本発明の実施の形態１における組立後のエレベータのかご室を示す上面図である。かご室１は、床パネル２と、出入開放部３に設けられたかご扉ユニット４と、出入開放部３側を除く床パネル２の周縁部に立てて固定された複数の壁パネル１０とを有している。本発明は、壁パネル１０の構造に特徴を有するものである。
【００１３】
図２は、本発明の実施の形態１における搬入状態の壁パネル１０を示す斜視図である。また、図３は、図２に示した搬入状態の壁パネル１０を示す上面図である。また、図４は、図２の壁パネル１０を展開状態に変化させた状態を示す上面図である。なお、以下、図２の矢印Ａ方向を壁パネル１０の幅方向、矢印Ｂ方向を壁パネル１０の高さ方向、矢印Ｃ方向を壁パネル１０の厚み方向として説明する。
【００１４】
壁パネル１０は、図２及び図３に示すように、出荷され、昇降路に搬入される際の状態である搬入状態と、図４に示すように、床パネル２に取り付ける状態である展開状態との間で変化可能になっている。
【００１５】
即ち、本実施の形態１における壁パネルは、搬入状態においては、メインパネルとサブパネルが重なった構成となっており（図２、図３参照）、昇降路内への搬入を容易にしている。一方、本実施の形態１における壁パネルは、昇降路内に搬入した後に床パネル２に取り付けられた展開状態においては、メインパネルとサブパネルが同一直線状に配置され、かつ意匠面と反対側から両パネルを固定できる構成となっており、昇降路内での組立を容易にしている（図４参照）。そこで、このような本発明の技術的特徴について、以下に、詳細に説明する。
【００１６】
図１〜図４に示すように、壁パネル１０は、中央パネル（メインパネル）２０と、第１スライドパネル（サブパネル）３０と、第２スライドパネル（サブパネル）４０と、中央パネル２０に対して第１スライドパネル３０及び第２スライドパネル４０をスライド移動可能にする複数のスライド機構部５０とを有している。なお、第１スライドパネル３０と第２スライドパネル４０とのスライド方向は、反対方向になっている。
【００１７】
中央パネル２０は、壁パネル１０の幅方向について、矩形平面状の鋼板の両端部を断面略Ｌ字型に折り曲げて形成されている。これにより、中央パネル２０は、かご室１の内側壁面となる第１主面部２１と、第１主面部２１の両端部から第１主面部２１に対して垂直に曲げられた第１側面部２２ａ、２２ｂと、第１側面部２２ａ、２２ｂの端部から第１側面部２２ａ、２２ｂに対して垂直に曲げられた第１背面部２３ａ、２３ｂとを有している。
【００１８】
第１スライドパネル３０は、中央パネル２０と同様に、壁パネル１０の幅方向について、矩形平面状の鋼板の両端部を断面略Ｌ字型に折り曲げて形成されている。これにより、第１スライドパネル３０は、第２主面部３１と、第２側面部３２ａ、３２ｂと、第２背面部３３ａ、３３ｂとを有している。
【００１９】
第２スライドパネル４０も、中央パネル２０と同様に、壁パネル１０の幅方向について、矩形平面状の鋼板の両端部を断面略Ｌ字型に折り曲げて形成されている。これにより、第２スライドパネル４０は、第３主面部４１と、第３側面部４２ａ、４２ｂと、第３背面部４３ａ、４３ｂとを有している。
【００２０】
ここで、壁パネル１０の幅方向について、第１側面部２２ａ、２２ｂと、第２側面部３２ａ、３２ｂと、第３側面部４２ａ、４２ｂとは、全て同じ長さに設定されている。また、壁パネル１０の高さ方向について、中央パネル２０、第１スライドパネル３０、及び第２スライドパネル４０の長さは、同一の長さになっている。
【００２１】
図２及び図３に示すように、壁パネル１０の幅方向について第１主面部２１の長さは、第２主面部３１及び第３主面部４１を足した長さよりも長くなっている。なお、本実施の形態１では、第１スライドパネル３０と第２スライドパネル４０とは、同一のものが用いられている。
【００２２】
図２及び図３に示すような壁パネル１０の搬入状態において、第１スライドパネル３０及び第２スライドパネル４０は、第２側面部３２ｂと第３側面部４２ａとを互いに対向させた状態で、壁パネル１０の厚み方向について、中央パネル２０に重ねるように配置されている。即ち、搬入状態の壁パネル１０は、壁パネル１０の厚み方向について、第１背面部２３ａと第２主面部３１とが互いに対向し、第１背面部２３ｂと第３主面部４１とが互いに対向している。
【００２３】
また、本実施の形態１では、壁パネル１０の搬入状態において、壁パネル１０の厚み方向に沿って中央パネル２０を見たとき、第１スライドパネル３０と第２スライドパネル４０とは、中央パネル２０の領域内に収まっている。即ち、壁パネル１０の幅方向について、第１側面部２２ａと第１側面部２２ｂとの距離は、第２側面部３２ａと第３側面部４２ｂとの距離と同等、もしくは第２側面部３２ａと第３側面部４２ｂとの距離よりも長く設計されている。
【００２４】
図２では、本実施の形態１では、壁パネル１０の幅方向について、第１側面部２２ａと第１側面部２２ｂとの距離は、第２側面部３２ａと第３側面部４２ｂとの距離と同等に設定されている。即ち、壁パネル１０の幅方向について、第１側面部２２ａ及び第２側面部３２ａと、第２側面部２２ｂ及び第３側面部４２ｂとは、同一の位置に配置されている。
【００２５】
なお、壁パネル１０の幅方向について、第２側面部３２ａと第３側面部４２ｂとの距離は、作業員が出入開放部３から昇降路内に壁パネル１０を搬入しやすい長さに設定されていればよく、第１側面部２２ａと第１側面部２２ｂとの距離よりも長く設定されていてもよい。
【００２６】
図１〜図４には、図示されていないが、中央パネル２０の第１主面部２１の意匠面と反対側、即ち、第１背面部２３ａ、２３ｂが設けられている側には、縦補強や水平補強となる複数の補強材７０が、接着材や溶接などによって取り付けられている。第１スライドパネル３０及び第２スライドパネル４０の意匠面と反対側の面にも、同様の補強材８０が複数設けられている。
【００２７】
中央パネル２０の幅方向に沿って設けられた補強材７０には、後述する図６で示すように、スライド機構部５０を壁パネル１０の幅方向に沿って案内可能することで、壁パネル１０を搬入状態から展開状態へ変化可能にするレール７１が設けられている。レール７１は、補強材７０に沿って設けられている。
【００２８】
ここで、展開状態とは、図４に示すように、壁パネル１０の幅方向について、中央パネル２０の両端部が、第１スライドパネル３０及び第２スライドパネル４０の端部と当接しており、同一直線状に配置されている状態である。即ち、第１主面部２１、第２主面部３１、及び第３主面部３１は、同一直線状に配置され、かつ、第１側面部２２ａ及び第２側面部３２ｂと、第１側面部２２ｂ及び第３側面部４２ａとが当接している状態を展開状態と称している。
【００２９】
スライド機構部５０は、図３に示すように、搬入状態の第１スライドパネル３０と第２スライドパネル４０とが、壁パネル１０の幅方向について互いに対向する部分に設けられている。即ち、第２側面部３２ｂ側と、第３側面部４２ａ側とに設けられている。また、図２に示すように、スライド機構部５０は、壁パネル１０の高さ方向について、第１スライドパネル３０及び第２スライドパネル４０の両端部に設けられている。
【００３０】
ここで、搬入状態の壁パネル１０の幅方向両端部には、スライド機構部５０により壁パネル１０が意図せず展開状態へ変化することを阻止するための固定板６０が複数設けられている。図２では、第１側面部２２ａ及び第２側面部３２ａを繋いで固定する３つの固定板６０ａ、６０ｂ、６０ｃが、高さ方向について互いに距離をおいて設けられている。また、第１側面部２２ｂ及び第３側面部４３ｂを繋いで固定する３つの固定板６０ｄ、６０ｅ、６０ｆが、高さ方向について互いに距離をおいて設けられている。
【００３１】
即ち、固定板６０は、合計６つ設けられている。これにより、搬入状態の中央パネル２０の両端部と、中央パネル２０の両端部に対応する第１スライドパネル３０及び第２スライドパネル４０の端部とは、固定板６０により固定されていることになる。なお、固定板６０は、壁パネル１０の幅方向両端部において、少なくとも１つずつ設けられていればよい。
【００３２】
固定板６０を、壁パネル１０に固定する方法は、中央パネル２０、第１スライドパネル３０、及び第２スライドパネル４０が搬入状態を維持可能であり、搬入状態の壁パネル１０を展開状態にするとき、取り外し可能な部材であれば、特に限定されない。例えば、固定板６０と、固定板６０を取り付ける第１側面部２２ａ、第２側面部３２ａ、第２側面部２２ｂ、及び第３側面部４３ｂと、が対応する位置にボルト穴が開けられており、ボルト穴を通してボルトにナットを締め付けることで固定することが考えられる。
【００３３】
図５は、図３の丸Ｖで囲まれたスライド機構部５０を示す拡大図である。また、図６は、図３のスライド機構部５０をＶＩ−ＶＩ線に沿って見た状態を示す拡大図である。さらに、図７は、図４の丸ＶＩＩで囲まれたスライド機構部５０を示す拡大図である。
【００３４】
なお、図６（ａ）は、壁パネル１０の高さ方向について、第２スライドパネル４０の上端部に設けられたスライド機構部５０を示している。また、図６（ｂ）は、壁パネル１０の高さ方向について、第２スライドパネル４０の下端部に設けられたスライド機構部５０を示している。
【００３５】
なお、下記では、第２スライドパネル４０を中央パネル２０に対してスライド可能にするスライド機構部５０について説明するが、第１スライドパネル３０を中央パネル２０に対してスライド可能にするスライド機構部５０も同様の構成である。
【００３６】
図５〜図７に示すように、スライド機構部５０は、中央パネル２０に取り付けられた第１スライド部５１、第２スライドパネル４０に設けられた第２スライド部５２、及び第１スライド部５１と第２スライド部５２との間を伸縮可能に繋いている繋部５３を有している。
【００３７】
第１スライド部５１は、中央パネル２０の補強材７０に設けられたレール７１に嵌められ、壁パネル１０の幅方向に沿ってレール７１内をスライド移動可能になっている。また、図６に示すように、本実施の形態１では、第１スライド部５１は、第２スライドパネル４０の上端部側に設けられた第１スライド部５１と、第２スライドパネル４０の下端部側に設けられた第１スライド部５１とで形状が異なるものを用いている。
【００３８】
以下、第２スライドパネル４０の上端部側に設けられた第１スライド部５１を上側スライド部５１ａと称し、第２スライドパネル４０の下端部側に設けられた第１スライド部を下側スライド部５１ｂと称して説明する。図８は、上側スライド部５１ａ及び下側スライド部５１ｂを示す斜視図である。なお、図８（ａ）は、上側スライド部５１ａを示し、図８（ｂ）は、下側スライド部５１ｂを示している。
【００３９】
図５〜図８に示すように、第１スライド部５１は、壁パネル１０の高さ方向に沿って見た形状が略Ｌ字型になっており、第１移動部５１０と、第２移動部５１１とを有している。
【００４０】
第１移動部５１０は、断面矩形の板状の部材になっており、レール７１の長手方向、即ち、壁パネル１０の幅方向に沿って配置されている。
【００４１】
第２移動部５１１は、壁パネル１０の厚み方向について、第１主面部２１から離れた第１移動部５１０の面から第１主面部２１から離れるように突出して取り付けられている。第２移動部５１１は、水平断面が略Ｌ字型になっており、板状部５１１ａと、筒部５１１ｂとを有している。
【００４２】
板状部５１１ａは、壁パネル１０の厚み方向に沿って第１移動部５１０から突出する断面矩形の板の部材になっている。壁パネル１０の幅方向について、板状部５１１ａの長さは、第１移動部５１０の長さと一致している。
【００４３】
筒部５１１ｂは、断面矩形の筒状になっている。また、筒部５１１ｂは、板状部５１１ａの第１スライドパネル３０側の端部で、かつ、壁パネル１０の厚み方向について、第１移動部５１０から離れた板状部５１１ａの面から第１移動部５１０から離れるように突出して取り付けられている。なお、筒部５１１ｂの形状は、断面矩形である必要はなく、第２スライド部５２及び繋部５３の形状と合わせてあればよい。
【００４４】
なお、図５に示すように、第１移動部５１０及び板状部５１１ａには、筒部５１１ｂの筒形状に沿って、第１開口穴５１２が開けられている。なお、図５に示すように、第１開口穴５１２は、第１移動部５１０を貫通しないように開けられている。
【００４５】
図６（ａ）及び図８（ａ）に示すように、上側スライド部５１ａでは、壁パネル１０の高さ方向について、第１移動部５１０の上端部が、第２移動部５１１の上端部よりも上方に配置されているとともに、第１移動部５１０の下端部が、第２移動部５１１の下端部よりも下方に配置されている。従って、上側スライド部５１ａの鉛直断面は、略Ｔ字型になっている。
【００４６】
一方、図６（ｂ）及び図８（ｂ）に示すように、下側スライド部５１ｂでは、壁パネル１０の高さ方向について、第１移動部５１０の上端部が、第２移動部５１１の上端部と同じ位置に配置されているとともに、第１移動部５１０の下端部が、第２移動部５１１の下端部よりも下方に配置されている。従って、下側スライド部５１ｂの鉛直断面は、略Ｌ字型になっている。
【００４７】
ここで、レール７１は、図６に示すように、上側スライド部５１ａが嵌る上レール７１ａの形状と、下側スライド部５１ｂが嵌る下レール７１ｂの形状とは、異なっている。
【００４８】
図６（ａ）に示すように、上レール７１ａは、第１主面部２１から最も離れた第２移動部５１１の面を除く上側スライド部５１ａを囲むような形状になっている。即ち、第１主面部２１から最も離れた第２移動部５１１の面は、外部に露出している。一方、図６（ｂ）に示すように、下レール７１ｂは、壁パネル１０の高さ方向について、第１移動部５１０と第２移動部５１１の下端部のみを支持する形状になっている。
【００４９】
これにより、上レール７１ａは、壁パネル１０の高さ方向について、中央パネル２０に対して、第１スライドパネル３０及び第２スライドパネル４０の位置決めが可能になっている。また、下レール７１ｂは、位置決めされた第１スライドパネル３０及び第２スライドパネル４０の下端部を支持可能になっている。
【００５０】
なお、下側スライド部５１ｂは、下レール７１ｂに案内される構造であればよく、上側スライド部５１ａと同一のものを用いていてもよい。
【００５１】
図９は、第２スライド部５２を示す斜視図である。図５、図７、及び図９に示すように、第２スライド部５２は、第２スライドパネル４０の補強材８０に取り付けられた固定部５２０と、固定部５２０に設けられた腕部５２１とを有している。
【００５２】
固定部５２０は、水平断面が略Ｌ字型の部材になっており、第１固定片５２０ａと、第２固定片５２０ｂとを有している。第１固定片５２０ａは、第３主面部４１、第３側面部４２ａ、及び第３背面部４３ａで囲まれた部分に設けられている補強材８０に固定されている。
【００５３】
また、第２固定片５２０ｂは、壁パネル１０の幅方向について、第３側面部４２ａから離れた第１固定片５２０ａの端部に設けられているとともに、第３主面部４１から離れるように突出して設けられている。壁パネル１０の厚み方向について、第２固定片５２０ｂは、第３背面部４３ａの第３主面部４１から離れた端面と同じ位置まで、第１固定片５２０ａから突出している。
【００５４】
腕部５２１は、断面略Ｕ字型になっており、第１腕片５２１ａと、第２腕片５２１ｂと、第１腕片５２１ａ及び第２腕片５２１ｂとを繋ぐ繋腕片５２１ｃとを有している。第１腕片５２１ａは、壁パネル１０の厚み方向について、第３主面部４１から最も離れた第２固定片５２０ｂの端部から、第３主面部４１から離れるように突出して第２固定片５２０ｂに設けられている。
【００５５】
第２腕片５２１ｂは、壁パネル１０の幅方向について、第１腕片５２１ａから第１スライドパネル３０側へ距離を置いて配置されている。なお、第２腕片５２１ｂは、壁パネル１０の幅方向について、第３側面部４２ａよりも第１スライドパネル３０側に配置されている。また、図５に示すように、第２腕片５２１ｂには、繋部５３の一部を内部に収納することができる第２開口穴５２２が開けられている。
【００５６】
繋腕片５２１ｃは、壁パネル１０の厚み方向について第１固定片５２０ａから離れた第１腕片５２１ａ及び第２腕片５２１ｂの端部間を、壁パネル１０の幅方向に沿って接続している。第２腕片５２１ｂの長さは、図７に示すように、壁パネル１０が展開状態となったとき、第１側面部２２ｂと第３側面部４２ａとが当接した状態を維持可能になるように設定されている。即ち、第２腕片５２１ｂの長さは、第１側面部２２ｂと第３側面部４２ａとが当接したとき、第１移動部５１０が、主面部２１、第１側面部２２ｂ、及び第１背面部２３ｂで囲まれる中央パネル２０の第２スライドパネル側の端部に移動する長さに設定されている。
【００５７】
繋部５３は、壁パネル１０の厚み方向について、筒部５１１ｂの第１開口穴５１２と第２腕片５２１ｂの第２開口穴５２２とが互いに対向するように配置され、筒部５１１ｂと第２腕片５２１ｂとが互いに対向している端部間の距離を伸縮可能にしている。
【００５８】
繋部５３は、筒部５１１ｂに固定される収納筒部５３０と、第２腕片５２１ｂに固定され、収納筒部５３０内に収納された収縮状態と収納筒部５３０から一部が突出した状態である伸張状態との間で変位可能になっている伸縮部５３１とを有している。
【００５９】
ここで、収縮状態とは、図７で示すような壁パネル１０の展開状態に相当し、筒部５１１ｂと第２腕片５２１ｂとが互いに対向している端部間の距離が縮んでいる状態である。また、伸張状態とは、図５で示すような壁パネル１０の搬入状態に相当し、筒部５１１ｂと第２腕片５２１ｂとが互いに対向している端部間の距離が伸びている状態である。
【００６０】
図１０は、繋部５３を示す斜視図である。また、図１１は、図１０の繋部５３の収納筒部５３０及び伸縮部５３１の組立前の状態を示す斜視図である。図７、図１０及び図１１に示すように、収納筒部５３０は、断面矩形の筒状の部材になっており、伸縮部５３１の全体を内部に収納可能になっている。収納筒部５３０は、一端部が筒部５１１ｂ内に固定されている。
【００６１】
筒部５１１ｂと収納筒部５３０とは、収納筒部５３０の側面に設けられた突起５４が、筒部５１１ｂ内に設けられた図示しない突起用穴にはめ込まれることで固定されている。なお、突起用穴は、第１開口穴５１２内に設けられていてもよい。
【００６２】
伸縮部５３１は、図１１に示すように、水平断面が略Ｔ字型の部材になっている。また、伸縮部５３１は、図１１の矢印Ｄ方向に沿って収納筒部５３０に挿入したとき、図１０に示すように、挿入方向と反対側の収納筒部５３０の端部から突出可能な伸縮部本体５３１ａと、収納筒部５３０内で止まるストッパ部５３１ｂとを有している。
【００６３】
伸縮部本体５３１ａは、第２開口穴５２２から第２腕片５２１ｂに一部を挿入した状態で固定されている。伸縮部本体５３１ａと第２腕片５２１ｂとは、伸縮部本体５３１ａに設けられた突起５５が、第２腕片５２１ｂ内に設けられた図示しない突起用穴にはめ込まれることで固定されている。
【００６４】
ここで、第２開口穴５２２の大きさは、図７に示すように、収縮状態において、収納筒部５３０を内部に収納可能な大きさに設定されている。
【００６５】
次に、壁パネル１０を搬入状態として組み立てる方法について説明する。図１２は、スライド機構部５０を壁パネル１０に組み付ける状態を示す図である。なお、図１２には、中央パネル２０、第１スライドパネル３０、及び第２スライドパネル４０は、図示されていない。
【００６６】
以下、中央パネル２０と第２スライドパネル４０との組立方法について説明するが、中央パネル２０と第１スライドパネル３０との組立方法も同様である。
【００６７】
図１２（ａ）に示すように、先ず、作業員は、スライド機構部５０を取り付ける位置の補強材７０に設けられたレール７１に予め第１スライド部５１が挿入された状態で、補強材７０を中央パネル２０に取り付ける。なお、図１２（ａ）では、上レール７１ａが示されている。これにより、スライド機構部５０がレール７１から脱落することを防止することが可能になっている。
【００６８】
次に、図１２（ｂ）に示すように、第２スライド部５２の第２腕片５２１ｂに、繋部５３の伸縮部本体５３１ａを挿入して固定した上で、第２スライドパネル４０に固定する。その後、図１２（ｃ）に示すように、伸張状態にした繋部５３の収納筒部５３０を、補強材７０のレール７１及び補強材８０のレールに設けられた第１スライド部５１の筒部５１１ｂから第１開口穴５１２内に挿入して固定する。これにより、第２スライドパネル３０が、中央パネル２０に対してスライド移動可能になるように取り付けられる。
【００６９】
最後に、図２に示すように、壁パネル１０の幅方向について、第１側面部４２ｂ及び第３側面部４２ｂの位置を一致させて固定板６０ｄ〜６０ｆで固定する。中央パネル２０と第１スライドパネル３０とも上記と同様に組み立て、固定板６０ａ〜６０ｃで固定することで、搬入状態の壁パネル１０が完成する。
【００７０】
次に、搬入状態の壁パネル１０を用いたかご室１の組立方法について説明する。図１３は、かご室１の組立方法を示す図である。先ず、作業員は、昇降路内に設置されたかご枠に床パネル２及び図示しないかご天井を取り付ける。次に、図１３（ａ）に示すように、出入開放部３から最も離れたかご室１の内側壁面となる壁パネル１０を出入開放部３から搬入し、壁パネル１０を設置する。
【００７１】
図１３（ｂ）に示すように、中央パネル２０を床パネル２及びかご天井に固定し、中央パネル２０を基準に第１スライドパネル３０及び第２スライドパネル４０をスライドさせた後、中央パネル２０と意匠面が一致するようにずらして床パネル２及びかご天井に固定する。
【００７２】
図１４は、中央パネル２０を基準に第１スライドパネル３０及び第２スライドパネル４０をスライドさせた状態を示す上面図である。図１４に示すように、第１スライドパネル３０及び第２スライドパネル４０は、中央パネル２０に対してスライド移動された状態では、壁パネル１０の厚み方向について、中央パネル２０と第１スライドパネル３０及び第２スライドパネル４０との位置はずれている。
【００７３】
そこで、第１スライドパネル３０及び第２スライドパネル４０を壁パネル１０の厚み方向について、中央パネル２０側に引っ張り、スライド機構部５０の繋部５３を伸張状態から収縮状態に移動させる。これにより、壁パネル１０の厚み方向について、中央パネル２０、第１スライドパネル３０、及び第２スライドパネル４０の位置を、先の図４に示したように、同一直線状の位置にすることができる。このとき、中央パネル２０と第１スライドパネル３０とが当接する部分、及び中央パネル２０と第２スライドパネル４０とが当接する部分は、スライド機構部５０により当接した状態を保持される。
【００７４】
その後、図１１（ｃ）〜図１１（ｅ）に示すように、出入開放部３から見て左右になる内壁面にも壁パネル１０を取り付けることで、内壁面の３面が完成する。出入開放部３から見て左右になる内壁面の壁パネル１０では、先ず、出入開放部３から最も離れた位置に設置した壁パネル１０側に固定される第１スライドパネル３０及び第２スライドパネル４０のいずれか一方を、昇降路内で展開状態にする。
【００７５】
次に、中央パネル２０と、展開状態にした第１スライドパネル３０及び第２スライドパネル４０のいずれか一方とを、床パネル２及びかご天井に固定する。その後、搬入状態のままである第１スライドパネル３０及び第２スライドパネル４０の他方を、展開状態にして床パネル２及びかご天井に固定する。これにより、出入開放部３側を除く内壁面が完成する。
【００７６】
その後、かご扉ユニット４などのかご室を形成する部品を組み付け、かご室が完成する。
【００７７】
このような実施の形態１によるエレベータかご室の壁パネルでは、スライド機構部により中央パネルに対して第１スライドパネル及び第２スライドパネルが互いに反対方向にスライド移動可能になっている。また、スライド機構部は、中央パネルと、第１スライドパネル及び第２スライドパネルとが、壁パネルの厚み方向に重なった搬入状態と、中央パネルと、第１スライドパネル及び第２スライドパネルとが、壁パネルの幅方向に同一直線状に配置される展開状態との間で変化可能にしている。
【００７８】
このような構成を備えることで、間口が小さなかご室であったとしても、壁パネルの据付作業スペースを確保することができる。
【００７９】
また、スライド機構部は、中央パネルの意匠面とは反対側の面に設けられた補強材に形成されたレール内をレールに沿って移動可能な第１スライド部と、第１スライドパネル及び第２スライドパネルのそれぞれに固定された第２スライド部と、第１スライド部と第２スライド部とを繋ぐ繋部とを有している。第１スライド部と第２スライド部とは、壁パネルの厚み方向について一部が互いに対向している。
【００８０】
ここで、繋部は、壁パネルの厚み方向について互いに対向している第１スライド部と第２スライド部との間の距離を伸縮可能にしている。これにより、中央パネルに対してスライド移動させた第１スライドパネル及び第２スライドパネルは、中央パネル側に引っ張ることで、意匠面を一致させることができる。
【００８１】
このような構成を備えることで、中央パネルと、第１スライドパネル及び第２スライドパネルとが展開状態になったときに、意匠面と反対側の面に設けられたスライド機構部が、意匠面側から見えることを防止することができる。この結果、意匠性の悪化を防止することができる。
【００８２】
また、搬入状態において、壁パネルの幅方向について、中央パネルと、第１スライドパネル及び第２スライドパネルとの端部には、固定板が設けられている。この結果、作業員が出入開放部から壁パネルを昇降路内に搬入するときに、第１スライドパネル及び第２スライドパネルが中央パネルに対してスライド移動することを防止することができる。この結果、壁パネルの搬入作業を容易にすることができる。
【００８３】
実施の形態２．
先の実施の形態１では、壁パネル１０が、中央パネル２０、第１スライドパネル３０、及び第２スライドパネル４０の３枚構造である例について説明した。これに対して、本実施の形態２では、壁パネル１０が、１枚の中央パネルと１枚のサブパネルによる２枚構造である例について説明する。
【００８４】
図１５は、本発明の実施の形態２における搬入状態の壁パネル１０を示す斜視図である。本実施の形態２では、第１スライドパネル３０と第２スライドパネル４０とのうち、第２スライドパネル２０を残した状態を例に説明する。
【００８５】
図１５に示すように、壁パネル１０は、先の実施の形態１の第１スライドパネル３０を撤去し、壁パネル１０の幅方向について、第２スライドパネル４０の長さを、先の実施の形態１の第２スライドパネル４０の長さよりも長くしている。その他の構成は、先の実施の形態１と同様である。
【００８６】
また、壁パネル１０を搬入状態に組み立てる方法は、先の実施の形態１と同様の手順である。かご室１の組立方法は、出入開放部３から見て左右になる内壁面の壁パネル１０も、出入開放部３から最も離れた内壁面の壁パネル１０と同様の組み付け方をすることを除いて先の実施の形態１と同様の手順である。
【００８７】
このような実施の形態２によるエレベータかご室の壁パネル構造でも、先の実施の形態１と同様に、壁パネルの据付作業スペースの確保を容易にすることができ、意匠性を悪化させることなく壁パネルを複数分割することができるという効果を得ることができる。
【００８８】
なお、各上記実施の形態では、かご室１の組立方法において、内壁面は、３枚構造の壁パネル１０のみを用いた場合と、２枚構造の壁パネル１０のみを用いた場合について記載されている。しかし、かご室１の組立方法において、内壁面は、３枚構造の壁パネル１０と２枚構造の壁パネル１０とを組み合わせて形成されていてもよい。
【００８９】
また、壁パネル１０は、複数枚構造であってもよく、４枚以上になっていてもよい。この場合、中央パネル２０にスライド可能に取り付けられた第１スライドパネル３０及び第２スライドパネルに対してスライド移動可能になるサブパネルが設けられることになる。
【符号の説明】
【００９０】
１  かご室、２  床パネル、３  出入開放部、２０  中央パネル（メインパネル）、３０  第１スライドパネル（サブパネル）、４０  第２スライドパネル（サブパネル）、５０  スライド機構部、５１  第１スライド部、５２  第２スライド部、５３  繋部、６０  固定板、５２０  固定部、５２１  腕部。
【図１】
2016117544.tif 000003
【図２】
2016117544.tif 000004
【図３】
2016117544.tif 000005
【図４】
2016117544.tif 000006
【図５】
2016117544.tif 000007
【図６】
2016117544.tif 000008
【図７】
2016117544.tif 000009
【図８】
2016117544.tif 000010
【図９】
2016117544.tif 000011
【図１０】
2016117544.tif 000012
【図１１】
2016117544.tif 000013
【図１２】
2016117544.tif 000014
【図１３】
2016117544.tif 000015
【図１４】
2016117544.tif 000016
【図１５】
2016117544.tif 000017